(57)【要約】【課題】  高い熱伝達率が得られると共に排ガス温度を下げることが可能な浸漬型バーナヒータ及び溶湯保持炉を提供すること。【解決手段】  溶湯保持炉の炉壁又は上部蓋に貫通状態で設置され先端部が閉塞されたヒータ保護管２と、ヒータ保護管との間に燃焼用流路Ｓを有してヒータ保護管内に配され先端側が開口していると共に内部が排ガス流路となる内筒部材３と、燃焼用流路に燃料ガス及び空気を供給するガスバーナ部４とを備え、炉壁又は上部蓋に貫通した部分よりも先端側において内筒部材の外周面及びヒータ保護管の内周面の少なくとも一方に、螺旋状に延在する突条部２ａが設けられている。【選択図】  図１
2018075630.tif 000002
【特許請求の範囲】
【請求項１】
溶湯保持炉の炉壁又は上部蓋に貫通状態で設置され先端部が閉塞されたヒータ保護管と、
前記ヒータ保護管との間に燃焼用流路を有して前記ヒータ保護管内に配され先端側が開口していると共に内部が排ガス流路となる内筒部材と、
前記燃焼用流路に燃料ガス及び空気を供給するガスバーナ部とを備え、
前記炉壁又は前記上部蓋に貫通した部分よりも先端側において前記内筒部材の外周面及び前記ヒータ保護管の内周面の少なくとも一方に、螺旋状に延在する突条部が設けられていることを特徴とする浸漬型バーナヒータ。
【請求項２】
請求項１に記載の浸漬型バーナヒータにおいて、
前記突条部が、前記ヒータ保護管の内周面に形成された螺旋状溝の間に設けられていることを特徴とする浸漬型バーナヒータ。
【請求項３】
請求項１に記載の浸漬型バーナヒータにおいて、
前記突条部が、前記内筒部材の外周面に設けられた螺旋状フィンであることを特徴とする浸漬型バーナヒータ。
【請求項４】
請求項１から３のいずれか一項に記載の浸漬型バーナヒータにおいて、
前記炉壁又は前記上部蓋に貫通した部分における前記燃焼用流路内に前記空気を供給する空気流路を備え、
前記空気流路内に前記内筒部材又は前記ヒータ保護管に固定された熱交換用フィンが設けられていることを特徴とする浸漬型バーナヒータ。
【請求項５】
請求項１から４のいずれか一項に記載の浸漬型バーナヒータにおいて、
前記内筒部材の基端側の外周部に、前記ヒータ保護管よりも熱伝導性の低い断熱材料で形成された断熱部材が設けられていることを特徴とする浸漬型バーナヒータ。
【請求項６】
請求項１から４のいずれか一項に記載の浸漬型バーナヒータにおいて、
前記内筒部材の基端側から先端近傍まで、前記ヒータ保護管よりも熱伝導性の低い断熱材料で形成された断熱部材が設けられていることを特徴とする浸漬型バーナヒータ。
【請求項７】
溶湯を保持する保持槽と、
前記保持槽の炉壁又は上部蓋に貫通状態に設置された請求項１から６のいずれか一項に記載の浸漬型バーナヒータとを備えている溶湯保持炉。
【発明の詳細な説明】
【技術分野】
【０００１】
本発明は、例えばアルミニウム、アルミニウム合金等の鋳造やインゴットの溶解等に用いる浸漬型バーナヒータ及び溶湯保持炉に関する。
【背景技術】
【０００２】
従来、例えば鋳込み用のアルミニウムやアルミニウム合金等の溶湯を溶湯保持炉において加熱保持するため、炉壁から挿入する溶湯加熱用ヒータが使用されている。
このような溶湯加熱用ヒータとしては、金属発熱体を熱源とした溶湯保持炉が実用化されているが、熱源として金属発熱体の代わりにガスバーナを使用する方式が提案されている。
【０００３】
例えば、特許文献１には、ヒータ保護管である外筒内に内筒を配置したバーナヒータであって、内筒と外筒との間から燃焼ガスを供給して内筒から排ガスを回収する金属溶湯加熱用燃焼チューブヒータが記載されている。
このようなバーナヒータは、燃焼ガスが内筒と外筒との間に流通することで外筒側の温度を高め、溶湯を効率的に加熱するものであり、また排ガスを内筒の先端開口部から内筒内を介して基端側の排ガス管へ回収している。
【０００４】
一般的に、ヒータを炉壁から挿入して浸漬させるタイプの溶湯保持炉では、炉内の溶湯がヒータ保護管と炉壁との間を伝わって炉外に漏出することを防ぐため、炉壁内に埋まる部分のヒータ保護管の内部を例えば６００℃以下にし（アルミニウムの融点は６６０℃）、万一溶湯が炉壁とヒータ保護管との間に浸入したとしても、溶湯が固まって流出が防止される構成にすることが必要である。
【０００５】
しかしながら、ガスバーナを使用した場合、高温になった排ガスが炉壁を加熱し、溶湯を流出させてしまうおそれがある。そのため、特許文献１に記載のバーナヒータ及び溶湯保持炉では、内筒から排ガスを回収し、その外側を燃焼用空気が流れる構造にすることで、炉壁のすぐ内側を高温の排ガスが流通しないような構造とされている。
【先行技術文献】
【特許文献】
【０００６】
【特許文献１】特開平１１−３４７７２０号公報
【発明の概要】
【発明が解決しようとする課題】
【０００７】
上記従来の技術には、以下の課題が残されている。
上記特許文献１に記載のバーナヒータでは、排ガスを内筒から回収することで、炉壁側の温度が高温になることを抑制しているが、十分に炉壁側の温度を下げて溶湯漏れを完全に防止するために、排ガス温度のさらなる低下が要望されている。また、火炎の熱がヒータ保護管に効率的に伝わらないため、バーナヒータの温度が効率的に上昇しないと共に、燃焼ガスが全て燃焼し切らないうちに内筒に回収、排気されてしまう不都合があった。
【０００８】
本発明は、前述の課題に鑑みてなされたもので、高い熱伝達率が得られると共に排ガス温度を下げることが可能な浸漬型バーナヒータ及び溶湯保持炉を提供することを目的とする。
【課題を解決するための手段】
【０００９】
本発明は、前記課題を解決するために以下の構成を採用した。すなわち、第１の発明に係る浸漬型バーナヒータは、溶湯保持炉の炉壁又は上部蓋に貫通状態で設置され先端部が閉塞されたヒータ保護管と、前記ヒータ保護管との間に燃焼用流路を有して前記ヒータ保護管内に配され先端側が開口していると共に内部が排ガス流路となる内筒部材と、前記燃焼用流路に燃料ガス及び空気を供給するガスバーナ部とを備え、前記炉壁又は前記上部蓋に貫通した部分よりも先端側において前記内筒部材の外周面及び前記ヒータ保護管の内周面の少なくとも一方に、螺旋状に延在する突条部が設けられていることを特徴とする。
【００１０】
この浸漬型バーナヒータでは、炉壁又は上部蓋に貫通した部分よりも先端側において内筒部材の外周面及びヒータ保護管の内周面の少なくとも一方に、螺旋状に延在する突条部が設けられているので、突条部によってガイドされて内筒部材とヒータ保護管との間の燃焼用流路内を燃焼ガスが螺旋状に進むことで、螺旋状の突条部が無い場合に比べて燃焼ガスの流速が上昇するため、対流によるヒータ保護管への熱伝達率が上昇する。また、燃焼ガスが螺旋状に進むことで、乱流が発生し、燃焼ガスと空気とがより混ざり合い易くなって燃焼効率が向上し、燃焼せずに内筒部材から排気される燃焼ガスの量を低減することができる。さらに、ヒータ保護管への熱伝達率が向上するため、溶湯とヒータとの熱交換がより活発に行われることで、排気ガスの温度も下げることが可能になる。
【００１１】
第２の発明に係る浸漬型バーナヒータは、第１の発明において、前記突条部が、前記ヒータ保護管の内周面に形成された螺旋状溝の間に設けられていることを特徴とする。
すなわち、この浸漬型バーナヒータでは、前記突条部が、ヒータ保護管の内周面に形成された螺旋状溝の間に設けられているので、ヒータ保護管の内周面に溝加工等により容易に突条部を形成可能であると共に、溝幅等に応じて燃焼ガスの流速等を容易に設定することができる。また、突条部によってヒータ保護管の表面積が増大し、さらに保護管とヒータとの熱交換性が向上する。
【００１２】
第３の発明に係る浸漬型バーナヒータは、第１の発明において、前記突条部が、前記内筒部材の外周面に設けられた螺旋状フィンであることを特徴とする。
すなわち、この浸漬型バーナヒータでは、前記突条部が、前記内筒部材の外周面に設けられた螺旋状フィンであるので、螺旋状フィンの形状等に応じて燃焼ガスの流速等を容易に設定することができる。
【００１３】
第４の発明に係る浸漬型バーナヒータは、第１から第３の発明のいずれかにおいて、前記炉壁又は前記上部蓋に貫通した部分における前記燃焼用流路内に前記空気を供給する空気流路を備え、前記空気流路内に前記内筒部材又は空気供給管に固定された熱交換用フィンが設けられていることを特徴とする。
すなわち、この浸漬型バーナヒータでは、空気流路内に熱交換用フィンが設けられているので、空気流路内に供給される空気と内筒部材又は空気供給管に固定された熱交換用フィンとの間で熱交換され、供給される空気を効率的に暖めることができる。
【００１４】
第５の発明に係る浸漬型バーナヒータは、第１から第４の発明のいずれかにおいて、前記内筒部材の基端側の外周部に、前記ヒータ保護管よりも熱伝導性の低い断熱材料で形成された断熱部材が設けられていることを特徴とする。
上記特許文献１では、内筒部材の基端部が過熱され、排気ガスが内筒管の基端部で暖められ、排ガス温度が上昇してしまう不都合があった。すなわち、ヒータの基端部は、バーナの火炎が直接当たるため、非常に温度が高い。そのため、内筒部材が熱くなり過ぎると、中を通る排気ガスの温度が高くなってしまう。
しかしながら、本発明では、内筒部材の基端側の外周部に、ヒータ保護管よりも熱伝導性の低い断熱材料で形成された断熱部材が設けられているので、内筒部材の過熱を防ぐことができると共に、ヒータ保護管に効率的に熱を与えることが可能になる。
また、内筒部材の先端部は、バーナの火炎が直接当たらないため、基端部よりも温度が低いことから、断熱材料を取り付けずに内筒部材から放熱させることで、内筒部材の過熱を防ぐことが可能になる。
【００１５】
第６の発明に係る溶湯保持炉は、第１から第４の発明のいずれかにおいて、前記内筒部材の基端側から先端近傍まで、前記ヒータ保護管よりも熱伝導性の低い断熱材料で形成された断熱部材が設けられていることを特徴とする。
すなわち、この溶湯保持炉では、内筒部材の基端側から先端近傍まで、ヒータ保護管よりも熱伝導性の低い断熱材料で形成された断熱部材が設けられているので、内筒部材の外周部を広範囲に亘って設けられた断熱部材により、燃焼ガスから生じる熱エネルギーが断熱部材で撥ね返されヒータ保護管に向かうことで、断熱部材の設置範囲に比例してヒータ保護管への熱伝導効率を高めることが可能になる。
【００１６】
第７の発明に係る溶湯保持炉は、溶湯を保持する保持槽と、前記保持槽の炉壁又は上部蓋に貫通状態に設置された第１から第６の発明のいずれかの浸漬型バーナヒータとを備えている。
すなわち、この溶湯保持炉では、第１から第６の発明のいずれかの浸漬型バーナヒータを備えているので、熱伝達率及びエネルギー効率が良い本発明の浸漬型バーナヒータによって、従来よりも少ないエネルギーで溶湯を保持することが可能になる。
【発明の効果】
【００１７】
本発明によれば、以下の効果を奏する。
すなわち、本発明に係る浸漬型バーナヒータによれば、炉壁又は上部蓋に貫通した部分よりも先端側において内筒部材の外周面及びヒータ保護管の内周面の少なくとも一方に、螺旋状に延在する突条部が設けられているので、熱伝達率が上昇すると共に排ガス温度を下げることができると共に、燃焼効率が向上して内筒部材から排気される未燃焼の燃焼ガスの量を低減することができる。
したがって、本発明の浸漬型バーナヒータ及び溶湯保持炉では、炉壁の温度を従来より下げることができ、溶湯漏れを確実に防止することが可能になる。
【図面の簡単な説明】
【００１８】
【図１】本発明に係る浸漬型バーナヒータ及び溶湯保持炉の第１実施形態において、浸漬型バーナヒータを示す断面図である。
【図２】第１実施形態において、溶湯保持炉を示す概略的な断面図である。
【図３】第１実施形態において、浸漬型バーナヒータの炉壁に貫通した部分を示す要部の断面図である。
【図４】本発明に係る浸漬型バーナヒータ及び溶湯保持炉の第２実施形態において、浸漬型バーナヒータを示す断面図である。
【図５】本発明に係る浸漬型バーナヒータ及び溶湯保持炉の第３実施形態において、浸漬型バーナヒータを示す断面図である。
【図６】本発明に係る浸漬型バーナヒータ及び溶湯保持炉の第４実施形態において、浸漬型バーナヒータを示す断面図である。
【発明を実施するための形態】
【００１９】
以下、本発明に係る浸漬型バーナヒータ及び溶湯保持炉の第１実施形態を、図１から図３を参照しながら説明する。
【００２０】
本実施形態の浸漬型バーナヒータ１は、図１及び図２に示すように、溶湯保持炉１０の炉壁１１ａに貫通状態で設置され先端部が閉塞されたヒータ保護管２と、ヒータ保護管２との間に燃焼用流路Ｓを有してヒータ保護管２内に配され先端側が開口していると共に内部が排ガス流路となる内筒部材３と、燃焼用流路Ｓに燃料ガス及び空気を供給するガスバーナ部４とを備えている。
また、本実施形態の溶湯保持炉１０は、図２に示すように、溶湯Ｍを保持する保持槽１１と、保持槽１１の炉壁１１ａに貫通状態に設置された上記浸漬型バーナヒータ１とを備えている。
【００２１】
上記炉壁１１ａに貫通した部分（炉壁１１ａ内に埋まる部分）よりも先端側においてヒータ保護管２の内周面には、螺旋状に延在する突条部２ａが設けられている。
上記螺旋状の突条部２ａは、ヒータ保護管２の内周面に形成された螺旋状溝の間に設けられている。この螺旋状の突条部２ａは、ヒータ保護管２と軸線を同じにしてヒータ保護管２の先端まで形成されている。
【００２２】
上記ヒータ保護管２は、例えばファインセラミックスや炭化ケイ素系耐火物などで形成されている。このヒータ保護管２は、基端部側に取付用筒部材５が取り付けられ、この取付用筒部材５を介して炉壁１１ａに基端部側が固定されている。なお、取付用筒部材５は、ヒータ保護管と一体に成形しても構わない。
上記内筒部材３は、耐熱金属やセラミックス等で形成されている。
【００２３】
上記ガスバーナ部４は、先端に噴出ノズル６を有する燃焼ガスのガス供給管７と、空気を燃焼用流路Ｓに供給する空気供給管８とを備えている。
上記ガス供給管７は、燃焼ガスを供給する燃焼ガス管（図示略）に基端が接続されている。
上記噴出ノズル６は、火炎をできるだけ炉壁１１ａから離すために、炉壁１１ａよりも内側（ヒータ先端側）であって溶湯Ｍに浸漬する部分の燃焼用流路Ｓ内に突出状態に配されている。
【００２４】
上記空気供給管８は、図３に示すように、ヒータ保護管２の基端部内であって内筒部材３の外周面に取り付けられ、炉壁１１ａに貫通した部分における燃焼用流路Ｓ内に空気を供給する空気流路９を備えている。
この空気供給管８は、三重筒構造を有しており、空気管１２が接続される空気用孔１３ａを基端側に有した外側筒部１３と、外側筒部１３の内側に配され外側筒部１３との間に第１流路９ａを有して設けられた中間筒部１４と、中間筒部１４の内側に配され中間筒部１４との間に第２流路９ｂを有すると共に内筒部材３との間に第３流路９ｃを有して設けられた内側筒部１５とを備えている。すなわち、上記空気流路９は、第１流路９ａ，第２流路９ｂ及び第３流路９ｃの三層で構成されている。
【００２５】
中間筒部１４の先端は、外側筒部１３及び内側筒部１５の先端よりも基端側に配されていると共に、内側筒部１５の基端は、中間筒部１４の基端よりも先端側に配されている。
また、空気供給管８は、先端が内側筒部１５の先端開口部（第３流路９ｃの先端開口部）を除いて閉塞されていると共に基端がフランジ部材１６によって閉塞されている。
【００２６】
したがって、第１流路９ａは、先端側で第２流路９ｂの先端側と連通している。また、第２流路９ｂは、フランジ部材１６側で第３流路９ｃに連通し、第３流路９ｃは先端が開口しており、燃焼用流路Ｓと連通している。すなわち、空気用孔１３aから空気供給管８に供給された空気は、まず第１流路９ａを先端側に流れ、先端側で折り返して第２流路９ｂをフランジ部材１６側に向けて流れる。さらに、第２流路９ｂを流れる空気は、フランジ部材１６側で折り返して第３流路９ｃを先端側に向けて流れ、先端開口部から燃焼用流路Ｓ内へ供給される。
【００２７】
一方、ガス供給管７は、フランジ部材１６を貫通し、第２流路９ｂ内に挿通されて噴出ノズル６が燃焼用流路Ｓ内に突出状態に設置されている。噴出ノズル６からは、燃焼用流路Ｓ内に燃焼ガスが供給され、この燃焼ガスが、燃焼用流路Ｓに供給された空気と混合されて燃焼する。
なお、第１流路９ａは、外側筒部１３と中間筒部１４との間を狭く設定することで薄い層の流路となり、空気の流速を早くすることができ、効率的な熱交換が可能になる。
【００２８】
上記空気流路９の第３流路９ｃ内には、内筒部材３に固定された熱交換用フィン１７が設けられている。この熱交換用フィン１７は、内筒部材３の外周面に螺旋状に取り付けられている。すなわち、第３流路９ｃを流れる空気は、熱交換用フィン１７によって螺旋状に流れ、内筒部材３との間で熱交換されて暖められた後に、燃焼用流路Ｓ内に供給される。なお、熱交換用フィン１７を、空気供給管８に固定しても構わない。
【００２９】
また、燃焼ガスの燃焼時の温度は、１１００℃程度であるが、上述したように、供給空気を暖めていることで、上記燃焼時の温度まで上げるためのエネルギーを節約することができる。
なお、図３において、二点鎖線の矢印は空気の流れを示し、また一点鎖線の矢印は燃焼ガスの流れを示し、さらに破線の矢印は排ガスの流れを示している。
【００３０】
このように本実施形態の浸漬型バーナヒータ１では、炉壁１１ａに貫通した部分よりも先端側においてヒータ保護管２の内周面に、螺旋状に延在する突条部２ａが設けられているので、突条部２ａによってガイドされて内筒部材３とヒータ保護管２との間の燃焼用流路Ｓ内を燃焼ガスが螺旋状に進むことで、螺旋状の突条部２ａが無い場合に比べて燃焼ガスの流速が上昇するため、対流によるヒータ保護管２への熱伝達率が上昇する。
【００３１】
また、燃焼ガスが螺旋状に進むことで、乱流が発生し、燃焼ガスと空気とがより混ざり合い易くなって燃焼効率が向上し、燃焼せずに内筒部材３から排気される燃焼ガスの量を低減することができる。さらに、ヒータ保護管２への熱伝達率が向上するため、溶湯Ｍとヒータ１との熱交換がより活発に行われることで、排気ガスの温度も下げることが可能になる。また、突条部２ａによってヒータ保護管２の表面積が増大し、さらに熱交換性が向上する。
【００３２】
また、突条部２ａが、ヒータ保護管２の内周面に形成された螺旋状溝の間に設けられているので、ヒータ保護管２の内周面に溝加工等により容易に突条部２ａが形成可能であると共に、溝幅等に応じて燃焼ガスの流速等を容易に設定することができる。
また、空気流路９内に熱交換用フィン１７が設けられているので、空気流路９内に供給される空気と内筒部材３または空気供給管８に固定された熱交換用フィン１７との間で熱交換される。
【００３３】
次に、本発明に係る浸漬型バーナヒータ及び溶湯保持炉の第２から第４実施形態について、図４から図６を参照して以下に説明する。なお、以下の各実施形態の説明において、上記実施形態において説明した同一の構成要素には同一の符号を付し、その説明は省略する。
【００３４】
第２実施形態と第１実施形態との異なる点は、第１実施形態では、突条部２ａが、ヒータ保護管２の内周面に形成された螺旋状溝の間に設けられているのに対し、第２実施形態の浸漬型バーナヒータ２１及び溶湯保持炉は、図４に示すように、突条部２３ａが、内筒部材２３の外周面に設けられた螺旋状フィンである点である。
すなわち、第２実施形態では、螺旋状フィンが内筒部材２３の外周面上に螺旋状の突条部２３ａを構成し、ヒータ保護管２２と内筒部材２３との隙間に螺旋状の燃焼用流路Ｓを形成している。
【００３５】
上記螺旋状フィンの突条部２３ａは、内筒部材２３の外周面に取り外し可能に取り付けられている。
なお、第２実施形態のヒータ保護管２２は、内周面に螺旋状溝による突条部が形成されていない。また、ヒータ保護管２２は、取付用筒部材が一体化させて形成され基端部に取付用筒部２５を有している。なお、この取付用筒部２５は、第１実施形態のようにヒータ保護管と別に取付用筒部材として作製し、取り付けても構わない。
【００３６】
このように第２実施形態の浸漬型バーナヒータ２１及び溶湯保持炉では、突条部２３ａが、内筒部材２３の外周面に設けられた螺旋状フィンであるので、螺旋状フィンの形状等に応じて燃焼ガスの流速等を容易に設定することができる。
【００３７】
次に、第３実施形態と第１実施形態との異なる点は、第１実施形態の内筒部材３は、外周部がヒータ保護管２内に露出しているのに対し、第３実施形態の浸漬型バーナヒータ３１及び溶湯保持炉では、図５に示すように、内筒部材３の基端側の外周部に、ヒータ保護管２よりも熱伝導性の低い断熱材料で形成された断熱部材３３が設けられている点である。
上記断熱部材３３は、筒状に形成され内筒部材３の基端部の外周部を覆って取り付けられている。この断熱部材３３の断熱材料としては、例えばヒータ保護管２よりも熱伝導率が低いアルミナ系のセラミックス断熱材等が採用可能である。
【００３８】
このように第３実施形態の浸漬型バーナヒータ３１及び溶湯保持炉では、内筒部材３の基端側の外周部に、ヒータ保護管２よりも熱伝導性の低い断熱材料で形成された断熱部材３３が設けられているので、内筒部材３の過熱を防ぐことができると共に、ヒータ保護管２に効率的に熱を与えることが可能になる。
また、内筒部材３の先端部は、バーナの火炎が直接当たらないため、基端部よりも温度が低いことから、断熱部材３３を取り付けずに内筒部材３から放熱させることで、内筒部材３の過熱を防ぐことが可能になる。
【００３９】
次に、第４実施形態と第３実施形態との異なる点は、第３実施形態では、断熱部材３３が内筒部材３の基端側の外周部に設けられているのに対し、第４実施形態の浸漬型バーナヒータ４１及び溶湯保持炉では、図６に示すように、内筒部材３の基端側から先端近傍まで、断熱部材４３が設けられている点である。
また、第４実施形態では、第２実施形態と同様に、突条部４３ａが螺旋状フィンであり、突条部４３ａが断熱部材４３の外周面に設けられている点でも第３実施形態と異なる。
【００４０】
このように第４実施形態の浸漬型バーナヒータ４１及び溶湯保持炉では、内筒部材３の基端側から先端近傍まで、ヒータ保護管２２よりも熱伝導性の低い断熱材料で形成された断熱部材４３が設けられているので、内筒部材３の外周部を広範囲に亘って設けられた断熱部材４３により、燃焼ガスから生じる熱エネルギーが断熱部材４３で撥ね返されヒータ保護管２２に向かうことで、断熱部材４３の設置範囲に比例してヒータ保護管２２への熱伝導効率を高めることが可能になる。
【００４１】
なお、断熱部材４３は内筒部材３の基端側であれば基端から若干離間した位置から先端近傍まで設置されていても構わない。すなわち、内筒部材３の基端近傍の外周部は、燃焼ガスの燃焼空間ＢＳとなるため、この燃焼空間ＢＳを避けて基端側の途中から先端に向けて断熱部材４３を設けても構わない。このように燃焼空間ＢＳを十分に確保することで、火炎の燃焼効率が向上し、不燃ガスを低減することができる。
また、燃焼空間ＢＳ近くの燃焼ガスの火炎が直接当たる突条部４３ａの螺旋状フィンのうち、燃焼空間ＢＳから少なくとも３巻までの螺旋状フィンの材質を変更してもよい。
【００４２】
なお、本発明の技術範囲は上記各実施形態に限定されるものではなく、本発明の趣旨を逸脱しない範囲において種々の変更を加えることが可能である。
【００４３】
例えば、上記第１実施形態では、ヒータ保護管の内周面に螺旋状の突条部が形成されているが、内筒部材の外周面に螺旋状の突条部を形成しても構わない。また、ヒータ保護管の内周面及び内筒部材の外周面の両方に螺旋状の突条部を形成しても構わない。この場合、両方に螺旋状の突条部は、同じ方向に同じ間隔で延在するように設定することが好ましい。
【００４４】
また、上記第２実施形態では、内筒部材の外周面に螺旋状フィンの突条部を取り付けているが、ヒータ保護管の内周面に螺旋状フィンを取り付けても構わない。また、ヒータ保護管の内周面に、螺旋状以外の形状の突条部を形成し、ヒータ保護管の表面積を増大させても構わない。
【００４５】
さらに、上記各実施形態では、ヒータ保護管が溶湯保持炉の保持槽の炉壁に貫通状態で設置され、横から溶湯に浸漬した状態とされるが、溶湯保持炉の保持槽の上部開口部を閉塞する上部蓋を設け、この上部蓋に貫通状態でヒータ保護管を設置しても構わない。この場合、浸漬型バーナヒータは、保持槽の上部蓋に貫通状態に設置され、ヒータ保護管が、上部蓋を挿通して縦に延在して溶湯に浸漬した状態となる。
【符号の説明】
【００４６】
１，２１，３１，４１…浸漬型バーナヒータ、２，２２…ヒータ保護管、２ａ，２３ａ，４３ａ…突条部、３，２３…内筒部材、４…ガスバーナ部、９…空気流路、１０…溶湯保持炉、１１…保持槽、１１ａ…炉壁、１７…熱交換用フィン、３３，４３…断熱部材、Ｍ…溶湯、Ｓ…燃焼用流路
【図１】
2018075630.tif 000003
【図２】
2018075630.tif 000004
【図３】
2018075630.tif 000005
【図４】
2018075630.tif 000006
【図５】
2018075630.tif 000007
【図６】
2018075630.tif 000008